(57)【要約】      （修正有）【課題】人工透析治療や点滴中に、認知症患者が自ら穿刺針を抜いてしまう医療事故を防ぐ器具を提供する。【解決手段】穿刺部プロテクターは、腕挿入用の穴である左腕挿入部３を開けた、平板又は湾曲した硬質プレート１７に、患者と硬質プレートの隙間を維持するための胸部ベルト６が付いている構造を基本構造とする。この硬質プレート１７をベッドの上に立てて固定するためのベースプレート１８に、ベッド固定用器具と腕部固定具を用いる。この穿刺部プロテクター２により患者の肩から手までを仕切りによって隔離するため、穿刺していない腕は拘束する必要がなく、又、腕部ベルト８、胸部ベルト６、腰部ベルト７の接続部は穿刺部プロテクター２の穿刺部１２側にあるため、患者本人が各ベルトの接続を外すこと、穿刺針を抜くことができないので、安全に治療できる。【選択図】図２
0003159942.tif 000002
【実用新案登録請求の範囲】
【請求項１】
平板又は湾曲した硬質プレートをベッドの上に立てて固定し、硬質プレートの穴に、患者の穿刺部位がある左右どちらかの腕を肩まで挿入し、患者とプレートの隙間を維持するためのベルトが付いている穿刺針の外れ防止器具。
【考案の詳細な説明】
【技術分野】
【０００１】
本考案は、薬剤又は血液注入返血用の針を患者自らが抜いてしまうことを防ぐ医療事故対策器具に関する。
【背景技術】
【０００２】
現在、人工透析治療や点滴中に、認知症患者が自ら針を抜いてしまう医療事故が多発しているため、医療スタッフとしては認知症患者の家族に承諾をもらい、患者の両手をベッドに縛り付ける、又は家族に監視を要請し、３時間以上の人工透析治療などを行っている。
【０００３】
針が抜けた場合に警報を発生させるなどの対策はできても、針を外させない対策に関しては、この両手を拘束する以外にはありません。
【先行技術文献】
【特許文献】
【０００４】
【特許文献１】特開２００７−１０７９４４号公報
【特許文献２】特開２０００−１４００９２号公報
【特許文献３】特開  平０８−１９１８９２号公報
【特許文献４】特開２００８−０００２１９号公報
【特許文献５】特開２００７−１７８１８８号公報
【特許文献６】特開２００７−１７８１８７号公報
【特許文献７】特開２００７−１４３８９５号公報
【特許文献８】特開２００６−０５５５８８号公報
【特許文献９】特開２０００−１４０１０１号公報
【特許文献１０】特開２００７−０２０８０１号公報
【特許文献１１】特開２００６−１１０１２０号公報
【特許文献１２】特開２００６−１１０１１８号公報
【特許文献１３】実開第３１４３１９０号公報
【特許文献１４】実開平０７−０３４８４３号公報
【考案の概要】
【考案が解決しようとする課題】
【０００５】
しかし、長時間、両手をベッドに縛り付けられる患者、縛り付けなければならない医療スタッフ、そのような状況を承諾しなければならない家族、誰もが大きな心的ストレスや苦痛を感じています。
【０００６】
又、家族が常に監視するにしても、患者の家族にとって週３回、１回４時間から６時間の付き添いは生活の上でも負担は非常に大きい。この現状から少しでも安全に、苦痛やストレスから開放される対策が必要と考えます。
【課題を解決するための手段】
【０００７】
両手の拘束を行わなくても、穿刺部である左右どちらかの腕を動かないように固定し、反対の手が穿刺部位に届かないように、患者の穿刺側の肩から手までを隔離することができる穿刺部プロテクターを設置する。
【考案の効果】
【０００８】
本考案により、片腕だけの拘束となるため、患者、家族、医療スタッフの心的ストレスや苦痛、家族の負担が軽減され、穿刺針を認知症患者本人が抜いてしまう事を防ぐことで、重大な医療事故を防止することができると考えます。
【図面の簡単な説明】
【０００９】
【図１】図１は穿刺部プロテクターの基本構造を下から見た図Cと、穿刺部プロテクターの基本構造を右側から見た図Dを示した説明図である。
【図２】図２は穿刺部プロテクターの取り付け状態を上空から見た図Aと右側から見た図Bを示した説明図である。
【図３】図３は穿刺部プロテクターの取り付け状態を図２のＡに対し、下側から見た説明図である。
【考案を実施するための形態】
【００１０】
本考案の実施形態の例について図面を参照して説明する。図２は一般的な人工透析治療時などで、患者の左腕に穿刺を行うと仮定した場合の穿刺部プロテクターの取り付け状態を示します。穿刺部プロテクターは図１のC及びDに示すように、平板又は湾曲した硬質プレート１７に、腕挿入用の穴をあけます。ここでは左腕用と仮定しているので、左腕挿入部３が腕挿入用の穴に該当します。この平板又は湾曲した硬質プレート１７に患者と硬質プレートの隙間を維持するための胸部ベルト６が付いている構造を基本構造とします。腰部ベルト７は、下半身と硬質プレート１７との隙間を維持するための補助ベルトとして付けております。この硬質プレート１７がベッドの上に立てて固定できるように硬質プレート１７と一体化、又は、分離する事のできるベースプレート１８に、ベッド固定用器具と腕部固定具を付けたものである。ここではベッド固定用器具として固定用シャフト５を用い、腕部固定具として腕部ベルト８を用いておりますが、この固定方法、材質について限定するものではない。又、腕挿入部３の穴には腕に怪我をさせない配慮として、クッション製の材質を付ける事が望ましい。硬質プレート１７の大きさは、患者の拘束していない腕の手先が硬質プレートを境に反対側の穿刺部１２やベルト接続部１６に届かないように、左腕挿入部の穴を中心に５００mm以上の大きさが必要である。
【００１１】
通常の医療用ベッドはベッドフレーム１１に落下防止用の柵穴１４が付いています。穿刺部プロテクター２はその穴に固定用シャフト５を上から差し込み、シャフトの外れ止めとして先端にピン１５を差し込み固定します。
【実施例】
【００１２】
患者をベッドに寝かせます。穿刺部プロテクター２の硬質プレート１７に、腕挿入用の穴となる左腕挿入部３に患者１の左腕を図２のA及びBように肩まで入れ、左手首に腕部ベルト８を取付け、腕を大きく曲げないように適度に固定します。次に胸部ベルト６および腰部ベルト７を患者の背中から矢印１３の方向に回し、穿刺部プロテクター２の下部からプロテクター内部に引き込み、ベルト接続部１６に適度に固定します。
【００１３】
この３点のベルトで固定されることにより、安全に治療を行うことができ、又、患者の右手は自由に動かすことができ、寝返りも矢印１３の方向であれば可能となります。左手首の腕部ベルト８は穿刺部位を大きく曲げる、又は、プロテクターから腕を引き抜く行為を防ぎ、胸部ベルト６及び腰部のベルト７は左腕挿入部３から人体１を遠ざけようとする行為による、左上腕の血管９の圧迫を防ぎ、又、右手が穿刺部プロテクター２上部を越えて穿刺部１２に到達する事を防止する作用があります。
【符号の説明】
【００１４】
１    人体（患者）
２    穿刺部プロテクター
３    左腕挿入部
４    腕用クッション
５    固定用シャフト
６    胸部ベルト
７    腰部ベルト
８    腕部ベルト
９    左上腕の血管
１０  ベッド
１１  ベッドフレーム
１２  穿刺部
１３  矢印
１４  柵穴
１５  ピン
１６  ベルト接続部
１７  硬質プレート
１８  ベースプレート
Ａ    取り付け状態を上空から見た図
Ｂ    取り付け状態を右側から見た図
C    プロテクターの基本構造を下から見た図、
D    プロテクターの基本構造を右側から見た図
【図１】
0003159942.tif 000003
【図２】
0003159942.tif 000004
【図３】
0003159942.tif 000005